【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
所定のＬＡＮの外部に設けられたクラウドサーバと前記所定のＬＡＮの内部に設けられた特定のデバイスとの間の通信を、前記所定のＬＡＮの内部に設けられた複数のゲートウエイのいずれかを介して実行する通信システムにて、前記クラウドサーバと前記特定のデバイスとの間の通信を管理する管理サーバに内蔵されたコンピュータに、
ａ）前記クラウドサーバから前記特定のデバイスに対するアクセス要求を受け付けるステップと、
ｂ）前記クラウドサーバとの間でトンネル通信を確立すべき旨のトンネル接続要求を前記アクセス要求に応じて送信するステップと、
を実行させるためのプログラムであって、
前記ステップｂ）は、
ｂ−１）前記アクセス要求が受け付けられた場合に前記特定のデバイスに対応する特定のゲートウエイと前記管理サーバとの間に通信セッションが確立されていないときには、前記特定のゲートウエイとは別のゲートウエイである代行ゲートウエイと前記管理サーバとの間の通信セッションを介して前記トンネル接続要求を前記代行ゲートウエイに対して送信するステップ、
を有し、
前記ステップｂ−１）は、
ｂ−１−１）前記代行ゲートウエイのセキュリティレベルが前記特定のゲートウエイのセキュリティレベルより低い場合には、前記トンネル接続要求を前記特定のゲートウエイに転送させる転送要求を伴って前記代行ゲートウエイに対して前記トンネル接続要求を送信して、前記特定のゲートウエイと前記クラウドサーバとの間で前記トンネル通信を確立させるステップと、
ｂ−１−２）前記代行ゲートウエイのセキュリティレベルが前記特定のゲートウエイのセキュリティレベルより高い場合には、前記代行ゲートウエイに対して前記トンネル接続要求を送信して、前記代行ゲートウエイと前記クラウドサーバとの間でトンネル通信を確立させるステップと、
を有することを特徴とするプログラム。
【請求項２】
請求項１に記載のプログラムにおいて、
ｃ）前記複数のゲートウエイの相互間の代行関係に関する代行情報を含む管理情報を格納するステップ、
を前記コンピュータにさらに実行させるためのプログラム。
【請求項３】
請求項２に記載のプログラムにおいて、
前記管理情報は、前記複数のゲートウエイのそれぞれのセキュリティレベルを含むことを特徴とするプログラム。
【請求項４】
請求項１ないし請求項３のいずれかに記載のプログラムにおいて、
前記複数のゲートウエイはそれぞれ画像形成装置であることを特徴とするプログラム。
【請求項５】
請求項１ないし請求項４のいずれかに記載のプログラムにおいて、
前記特定のデバイスは画像形成装置であることを特徴とするプログラム。
【手続補正２】
【補正対象書類名】明細書
【補正対象項目名】発明の名称
【補正方法】変更
【補正の内容】
【発明の名称】プログラム
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】変更
【補正の内容】
【００３３】
上記課題を解決すべく、請求項１の発明は、所定のＬＡＮの外部に設けられたクラウドサーバと前記所定のＬＡＮの内部に設けられた特定のデバイスとの間の通信を、前記所定のＬＡＮの内部に設けられた複数のゲートウエイのいずれかを介して実行する通信システムにて、前記クラウドサーバと前記特定のデバイスとの間の通信を管理する管理サーバに内蔵されたコンピュータに、ａ）前記クラウドサーバから前記特定のデバイスに対するアクセス要求を受け付けるステップと、ｂ）前記クラウドサーバとの間でトンネル通信を確立すべき旨のトンネル接続要求を前記アクセス要求に応じて送信するステップと、を実行させるためのプログラムであって、前記ステップｂ）は、ｂ−１）前記アクセス要求が受け付けられた場合に前記特定のデバイスに対応する特定のゲートウエイと前記管理サーバとの間に通信セッションが確立されていないときには、前記特定のゲートウエイとは別のゲートウエイである代行ゲートウエイと前記管理サーバとの間の通信セッションを介して前記トンネル接続要求を前記代行ゲートウエイに対して送信するステップ、を有し、前記ステップｂ−１）は、ｂ−１−１）前記代行ゲートウエイのセキュリティレベルが前記特定のゲートウエイのセキュリティレベルより低い場合には、前記トンネル接続要求を前記特定のゲートウエイに転送させる転送要求を伴って前記代行ゲートウエイに対して前記トンネル接続要求を送信して、前記特定のゲートウエイと前記クラウドサーバとの間で前記トンネル通信を確立させるステップと、ｂ−１−２）前記代行ゲートウエイのセキュリティレベルが前記特定のゲートウエイのセキュリティレベルより高い場合には、前記代行ゲートウエイに対して前記トンネル接続要求を送信して、前記代行ゲートウエイと前記クラウドサーバとの間でトンネル通信を確立させるステップと、を有することを特徴とする。
請求項２の発明は、請求項１の発明に係るプログラムにおいて、ｃ）前記複数のゲートウエイの相互間の代行関係に関する代行情報を含む管理情報を格納するステップ、を前記コンピュータにさらに実行させるためのプログラム。
請求項３の発明は、請求項２の発明に係るプログラムにおいて、前記管理情報は、前記複数のゲートウエイのそれぞれのセキュリティレベルを含むことを特徴とする。
請求項４の発明は、請求項１ないし請求項３のいずれかの発明に係るプログラムにおいて、前記複数のゲートウエイはそれぞれ画像形成装置であることを特徴とする。
請求項５の発明は、請求項１ないし請求項４のいずれかの発明に係るプログラムにおいて、前記特定のデバイスは画像形成装置であることを特徴とする。
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】変更
【補正の内容】
【００４１】
請求項１ないし請求項５に記載の発明によれば、特定のゲートウエイが省電力モードに遷移しており特定のゲートウエイと管理サーバとの間に通信セッションが確立されていないときには、代行ゲートウエイと管理サーバとの間の通信セッションを介して、トンネル接続要求が代行ゲートウエイに対して送信され更に特定のゲートウエイに対して転送されるので、特定のゲートウエイとクラウドサーバとの間のトンネル通信を確立させることが可能である。したがって、特定のゲートウエイを省電力モードに遷移させて消費電力を低減することが可能であるとともに、特定のゲートウエイが省電力モードを有している状態からでも特定のゲートウエイとクラウドサーバとの間のトンネル通信を適切に確立させることが可能である。
【手続補正３１】
【補正対象書類名】明細書
【補正対象項目名】００４２
【補正方法】削除
【補正の内容】